(57)【要約】【課題】  化粧カバーの棟側に水溜まりが生じても、ベース板の裏側に水が浸入することを防ぐことができるようにする。【解決手段】  屋根下地１の上にベース板２を固定すると共にベース板２の上に支持具３で機能パネル４を取り付け、屋根下地１の上に葺設される屋根材６の上を流れる雨水が機能パネル４の下側においてベース板２上を流れて排水されるようにした機能パネル設置屋根に関する。ベース板２の棟側端縁の上に上部水切り板５の軒側端縁を重ねて取り付けると共に、ベース板２の棟側に隣接して配置される屋根材６をこの上部水切り板５の上に葺設する。棟側の端部においてベース板２の上に設けられた支持具３に化粧カバー７を固定すると共にこの化粧カバー７の棟側の端部を上部水切り板５の軒側先端より棟側寄りの位置において上部水切り板５の上面に対向させる。【選択図】  図１
2006063689.tif 000002
【特許請求の範囲】
【請求項１】
屋根下地の上にベース板を固定すると共にベース板の上に支持具で機能パネルを取り付け、屋根下地の上に葺設される屋根材の上を流れる雨水が機能パネルの下側においてベース板上を流れて排水されるようにした機能パネル設置屋根であって、ベース板の棟側端部の上に上部水切り板の軒側端部を重ねて取り付けると共に、ベース板の棟側に隣接して配置される屋根材をこの上部水切り板の上に葺設し、棟側の端部においてベース板の上に設けられた支持具に化粧カバーを固定すると共にこの化粧カバーの棟側の端部を上部水切り板の軒側先端より棟側寄りの位置において上部水切り板の上面に対向させて成ることを特徴とする機能パネル設置屋根の構造。
【請求項２】
ベース板の棟側端部の上にハゼ受け具を固定し、上部水切り板の軒側端縁を下面側に折り返して形成されるハゼ部をハゼ受け具に引っ掛け係止することによって、ベース板の棟側端部の上に上部水切り板の軒側端部を重ねて取り付け、ベース板の棟側に隣接して配置される屋根材をハゼ受け具への引っ掛け係止部分よりも棟側寄りの位置において上部水切り板の上に葺設して成ることを特徴とする請求項１に記載の機能パネル設置屋根の構造。
【発明の詳細な説明】
【技術分野】
【０００１】
本発明は、太陽電池パネルなど、所定の機能を有する機能パネルを設置した屋根の構造に関するものである。
【背景技術】
【０００２】
所定の機能を有する機能パネル、例えば太陽電池パネルを家屋の屋根の上に取り付けることが行なわれている。そして機能パネルを屋根の上に取り付ける場合、野地板などで形成される屋根下地の上に葺かれたスレート瓦などの屋根材の上に機能パネルを支持して取り付ける工法の他に、機能パネルを通常の屋根材と並べて屋根下地の上に取り付ける工法（例えば特許文献１等参照）がある。
【０００３】
図４は後者のように機能パネル４を屋根下地１に取り付ける工法の一例を示すものであり、防水シート１４を敷いた屋根下地１の上にベース板２を敷設し、このベース板２の上に支持具３によって太陽電池パネルなどの機能パネル４を取り付けるようにしてある。ベース板２は固定バー１５及び固定ビス１６を用いて屋根下地１の上に固定されるものであり、ベース板２の上に部分的に配置される支持具３で機能パネル４を支持して、ベース板２と機能パネル４との間に空間が形成されるようにしてある。そしてベース板２と、ベース板２の周囲に葺設される屋根材６との間に、水切り板５などで防水構造が形成されるようにしてあって、屋根材６の上を流れる雨水は、図４の矢印のように屋根材６からベース板２へと流れ、機能パネル４の下側においてベース板２の上を流下されるようにしてあり、機能パネル４を取り付けるためのベース板２が屋根材としての機能も果たすように形成してある。また機能パネル４の四周にはそれぞれ化粧カバー７を配置して支持具３によって取り付けてあり、機能パネル４とベース板２との間の隙間を化粧カバー７で隠すようにしてある。
【０００４】
図５は上記のベース板２の棟側端部と、このベース板２の棟側に隣接する屋根材６との間の防水の仕舞い構造を示すものであり、ベース板２の棟側端縁部の上にハゼ受け具８がビス等の固着具１８で固定してある。また上部水切り板５の軒側端部には下側を折り返してハゼ部９が形成してあり、このハゼ部９をハゼ受け具８に引っ掛けることによって、上部水切り板５の軒側端部をベース板２の棟側端縁部の上に重ねた状態で上部水切り板５を取り付けるようにしてある。屋根材６のうち、ベース板２の棟側に隣接する屋根材６は、この上部水切り板５の上に葺設されるものであり、この屋根材６の先端から裏側に回った雨水を上部水切り板５の上からベース板２の上に流すようにし、雨水がベース板２の裏側に浸入することを防ぐようにしてある。そして化粧カバー７は断面を略Ｌ型に形成されるものであって、その一側端をベース板２の棟側端部に設けた支持具３に固定することによって取り付るようにしてあり、この化粧カバー７の棟側の先端は、屋根材６や上部水切り板５よりも軒側の位置においてベース板２の上面に小間隙７ａを介して近接対向させるようにしてある。このように化粧カバー７の棟側先端をベース板２の上面に近接対向させることによって、雨水は矢印のように化粧カバー７の先端とベース板２の上面との間の隙間を通して流れるが、落ち葉等のゴミがベース板２と機能パネル４の間に侵入することを防ぐことができるものである。
【特許文献１】特開２００２−３８６７５号公報
【発明の開示】
【発明が解決しようとする課題】
【０００５】
上記のようにベース板２の棟側端部に化粧カバー７を取り付ける場合、化粧カバー７の先端とベース板２の上面との間の小間隙７ａが落ち葉などのゴミで詰まると、雨水がベース板２の側へと流れなくなって化粧カバー７で堰き止められ、化粧カバー７の棟側に水溜まりができることがあり、この水溜まりは満水時には図５のＬのレベルにまで水面が達する。
【０００６】
そして図５のように化粧カバー７の棟側先端が上部水切り板５よりも軒側の位置においてベース板２に近接対向していると、上部水切り板５の軒側先端部は水溜まりの中に位置することになり、この水が上部水切り板５の軒側先端から上部水切り板５の裏側に浸入し、さらにこの雨水がベース板２の裏側に浸入するおそれがあるという問題を有するものであった。
【０００７】
本発明は上記の点に鑑みてなされたものであり、化粧カバーの棟側に水溜まりが生じても、ベース板の裏側に水が浸入することを防ぐことができる機能パネル設置屋根の構造を提供することを目的とするものである。
【課題を解決するための手段】
【０００８】
本発明の請求項１に係る機能パネルを設置した屋根の構造は、屋根下地１の上にベース板２を固定すると共にベース板２の上に支持具３で機能パネル４を取り付け、屋根下地１の上に葺設される屋根材６の上を流れる雨水が機能パネル４の下側においてベース板２上を流れて排水されるようにした機能パネル設置屋根であって、ベース板２の棟側端部の上に上部水切り板５の軒側端部を重ねて取り付けると共に、ベース板２の棟側に隣接して配置される屋根材６をこの上部水切り板５の上に葺設し、棟側の端部においてベース板２の上に設けられた支持具３に化粧カバー７を固定すると共にこの化粧カバー７の棟側の端部を上部水切り板５の軒側先端より棟側寄りの位置において上部水切り板５の上面に対向させて成ることを特徴とするものである。
【０００９】
また請求項２の発明は、請求項１において、ベース板２の棟側端部の上にハゼ受け具８を固定し、上部水切り板５の軒側端縁を下面側に折り返して形成されるハゼ部９をハゼ受け具８に引っ掛け係止することによって、ベース板２の棟側端部の上に上部水切り板５の軒側端部を重ねて取り付け、ベース板２の棟側に隣接して配置される屋根材６をハゼ受け具８への引っ掛け係止部分よりも棟側寄りの位置において上部水切り板５の上に葺設して成ることを特徴とするものである。
【発明の効果】
【００１０】
本発明によれば、化粧カバー７の棟側の先端とベース板２の上面との間の小間隙７ａがゴミなどで詰まって、化粧カバー７の棟側に水溜まりができても、上部水切り板５の軒側先端部は化粧カバー７の内側（軒側）に位置しており、水溜まりの水が上部水切り板５の軒側先端から上部水切り板５の裏側に浸入することがなくなり、雨水がベース板２の裏側に浸入することを防ぐことができるものである。
【発明を実施するための最良の形態】
【００１１】
以下、本発明を実施するための最良の形態を説明する。
【００１２】
ベース板２は金属板などで略矩形に形成されるものであり、既述の図４の場合と同様に、上面に防水シート１４を敷いた野地板などで形成される屋根下地１の上にベース板２を載置し、固定バー１５及び固定ビス１６を用いて屋根下地１の上に固定するようにしてある。このベース板２の上面には所定間隔をおいた数箇所に支持具３がビス等の固着具１８で取り付けてあり、太陽電池パネルなどの機能パネル４の端部を支持具３の上部の嵌合凹部１９に嵌め込むことによって、ベース板２の上面との間に水が流れる空間が形成されるように、機能パネル４を支持具３で支持してベース板２に取り付けることができるものである。
【００１３】
このベース板２は、屋根に取り付ける機能パネル４の枚数に応じた複数枚を、妻方向や軒棟方向に並べて屋根下地１の上に取り付けられるものであり、妻方向に隣り合うベース板２はその妻側の側端部同士を重ね合わせ、また軒棟方向に隣り合うベース板２は、軒側に位置するベース板２の棟側端部の上に棟側に位置するベース板２の軒側端部を重ね合わせて、ベース板２間の防水性が確保されるようにしてある。そして屋根下地１のうち、このようにベース板２を取り付けた箇所以外には、スレート瓦などで形成される通常の屋根材６が葺設されるものであり、ベース板２と軒側、妻側、軒側でそれぞれ隣接する屋根材６との間には防水構造が形成されるようにしてある。
【００１４】
図１はベース板２とその棟側に隣接する屋根材６との間の防水構造を示すものであり、まず図２に示すように、ベース板２の棟側端部の上にハゼ受け具８を取り付ける。ハゼ受け具８は固定片２１と固定片２１の軒側端部から斜め上方に突出する受け片２２とから形成されるものであり、固定片２１からベース板２を通して屋根下地１にビス等の固着具１８を打入することによって、ハゼ受け具８を固定するようにしてある。また上部水切り板５は、ベース板２の妻方向の幅寸法よりも長めの幅寸法に板金などで形成されるものであり、上部水切り板５の軒側端縁には棟側へ向けて下面側に折り返すことによって、ハゼ部９が設けてある。この上部水切り板５はベース板２の棟側端縁から屋根下地１の上にかけて配置されるものであり、図３のようにハゼ部９をハゼ受け具８の受け片２２に引っ掛けることによって、軒側端部をベース板２の上に固定し、ベース板２の棟側端部を上部水切り板５の軒側端部で覆うことができるものである。ここで、上部水切り板５の棟側端部から屋根下地１の上にかけて防水テープ２６を貼り、上部水切り板５の棟側端縁の防水性を得ることができるようにするのが好ましい。このように上部水切り板５を取り付けた後、ベース板２に隣接する屋根材６を図１のように上部水切り板５の棟側部分の上に載置して固定することによって、この屋根材６を葺くことができるものである。
【００１５】
また、ベース板２と機能パネル４の間の棟側の開口を覆う化粧カバー７が図１のように取り付けるようにしてある。化粧カバー７は機能パネル４の幅寸法とほぼ同じ幅寸法に形成されるものであり、基部の固定片２４と下り傾斜するカバー片２５とで断面略へ字形に形成してある。そして固定片２４を支持具３の上面に重ねてビス等の固着具１８で固定することによって、化粧カバー７を取り付けることができるものであり、化粧カバー７のカバー片２５の棟側の先端は、上部水切り板５の軒側先端より棟側寄りの位置において、上部水切り板５の上面に近接して対向するように配置してある。化粧カバー７の棟側の先端と上部水切り板５の上面との間の小間隙７ａは、雨水は流れるが落ち葉等のゴミは通過しない程度の寸法に設定されるものである。ここで図１の実施の形態では、化粧カバー７の棟側の先端は、ベース板２に隣接する屋根材６よりも軒側の位置において、上部水切り板５のベース板２の上に重ねた部分の上面に対向するように配置してある。
【００１６】
このものにあって、屋根材６の上を流下する雨水は図１の矢印のように、屋根材６から上部水切り板５の上面へと流れ、化粧カバー７の先端と上部水切り板５の間の小間隙７ａを通過して上部水切り板５からベース板２へと流れ、機能パネル４の下側においてベース板２の上を流下し、最終的に軒先から排水されるようになっている。
【００１７】
そして化粧カバー７の棟側先端と上部水切り板５の上面との間の小間隙７ａが落ち葉などのゴミで詰まると、雨水がこの小間隙７ａを通過できなくなって化粧カバー７で堰き止められ、化粧カバー７の棟側に水溜まりができることがあり、この水溜まりは満水時には図１のＬのレベルにまで水面が達する。ここで、上記のように上部水切り板５の軒側先端部は化粧カバー７の先端より軒側、つまり化粧カバー７の内側に位置しているので、上部水切り板５の軒側先端部は水溜まりの中には位置しておらず、水溜まりの水が上部水切り板５の軒側先端から上部水切り板５の裏側に浸入することはない。従って、化粧カバー７で堰き止められた雨水が上部水切り板５の軒側先端からその裏側に浸入してさらにベース板２の裏側へと浸入することを防ぐことができるものである。尚、上部水切り板５の棟側端部が水溜まりの水面のレベルＬよりも棟側に位置するように、上部水切り板５の軒棟方向の寸法を設定するのが好ましい。
【００１８】
また、ベース板２の棟側に隣接する屋根材６を上部水切り板５の上に載置して葺設するにあたって、従来の図５の場合のように、ハゼ受け具８とハゼ部９との引っ掛け係合箇所の上に屋根材６が載置されていると、屋根材６の軒側先端が持ち上げられて浮き上がった状態になり、屋根材６のこの浮き上がった先端の下面から雨水が吹き込んで、雨水が浸入するおそれがある。このため、図１に示すように、屋根材６はハゼ受け具８とハゼ部９との引っ掛け係合箇所よりも棟側寄りの位置において上部水切り板５の上に載置して葺くようにしてある。屋根材６をこのように配置して葺くことによって、屋根材６の軒側先端から浮き上がることなく上部水切り板５の上面に密接させることができるものであり、雨水が屋根材６の先端下面に吹き込んで浸入することを防ぐことができるものである。
【００１９】
尚、機能パネル４として上記の実施の形態では太陽電池パネルを例示したが、これのみに限定されるものではなく、例えば機能パネル４として太陽熱温水パネルなどを用いることもできる。
【図面の簡単な説明】
【００２０】
【図１】本発明の実施の形態の一例を示す一部の断面図である。
【図２】本発明の実施の形態の一例を示す一部の断面図である。
【図３】本発明の実施の形態の一例を示す一部の断面図である。
【図４】従来例の断面図である。
【図５】従来例の一部の断面図である。
【符号の説明】
【００２１】
１  屋根下地
２  ベース板
３  支持具
４  機能パネル
５  上部水切り板
６  屋根材
７  化粧カバー
８  ハゼ受け具
９  ハゼ部
【図１】
2006063689.tif 000003
【図２】
2006063689.tif 000004
【図３】
2006063689.tif 000005
【図４】
2006063689.tif 000006
【図５】
2006063689.tif 000007